(57)【要約】      （修正有）【課題】  ブレス加工により紙鍋、懐紙、マット等直接食品に接する部分の挿絵を製造する方法において、健康で、安心、安全な商品を安価に提供する。【解決手段】挿絵（透かし絵）はプレスの切断加工にて表現し、線の太さは２ｍｍより狭く、長さは直線部は３０ｍｍが最大長さなるも、出来るだけ、２線とし、平面部を残す。曲がり部の長さは２０ｍｍ以下とした印刷部を打ち抜き加工をしたものである。  挿絵にはトンボマークを入れる。どうしても入れられぬ時は余白に打ち抜きトンボマークを打ち抜く。  挿絵紙鍋の製造方法は挿絵は冷間加工で行い、最終行程のヒダ折り畳み加工は位置制御装置にて、位置を正確似確認後、温間加工で、温度７５°〜１２０Ｃ°にてプレス加工にて仕上げる。【選択図】図３３
2007126206.tif 000002
【特許請求の範囲】
【請求項１】
プレスのせん断加工により、打ち抜かれた挿絵がある紙製、金属箔製、樹脂製の鍋、懐紙、懐敷、マット、箸袋、箸包、花えぼし、花筒、帽子、皿等の商品。
【請求項２】
挿絵は線で表現されるが、どうとても表現出来ない場合３０ｍｍ２平面（円、角、変形面等）許容する。線又は小形面は打ち抜かれ、線は打ち抜きの幅は２ｍｍより狭く、長さは直線部は３０ｍｍが最大長さで有るが、視覚に影響なければ２線とし、平面部を残す。折り曲がり部は２０ｍｍが最高長さとし、曲がり部の幅は２ｍｍ〜４ｍｍの打ち抜き、形状の挿絵を  １個以上有する請求項１の製品。
【請求項３】
挿絵（抜絵）には絵柄（抜絵柄）の中に中心を表す円即ち３０ｍｍ２以下の中心と直線と交錯、とか折り曲がりの中心線と直線が交錯又は直線同至が交策する等の位置を示す事が出来る請求項２の挿絵。
【請求項４】
挿絵のプレス位置を示す挿絵と他の挿絵のプレス位置を示す挿絵で、少なくとも２つの位置づけ挿絵でプレスの位置を読み取る挿絵プレス位置検出装置において、挿絵の各々は所定点で交差、あるいは延長線が直行する少なくとも２つ線分を含み、プレス上の各挿絵の所定点を含む範囲を単一のスポット光で２次元的に走査する事により前記線分、或るいはその延長線が直行する所定点り座標を検出する。測定機の直交座標系における各挿絵の所定の座標をオペーターにより入力し、そのオペレーターにより入力された各マークの所定点を原点とし各マークの線分及び各マークの線分の延長線を座標軸とする直交座標系であって、測定機の座標系とは異なる座標系における走査開始の象限を入力する。又オペレーターより入力された所定点から走査開始点までの距離を表わすオフセット値を入力する方法と、オペレーターにより入力された所定点の座標とオフセット値とに基づいて走開始点の座標を求め、走開始点から前記象限に応じた２方向にオフセット値プラス所定距離だけスポット光で２次元走査する挿絵が４つ以上、角型の挿絵付きなべには使用され、コイル材を使用し、１分間当り５０個以下の低速度に押えた製造方法の請求項１の２以上の挿絵付き製造方法で、請求項１の挿絵付き製品の製造方法。
【請求項５】
挿絵が１つの場合でも挿絵の位置の重要な場合は製品を並列、縦列のどちらかに並べ、挿絵を３つ以上にしてプレス加工の位置制御し加工する請求項４の製造方法。
【請求項６】
角形紙鍋（１２，１６，２０ヒダ）と丸茄形で、前者は４つの挿絵で、後者は一つの挿絵なるも茄のガク部（へた）に１つ挿絵がある。角形紙鍋の素材四角形に内接する円で、一角のみは残り端部は円弧で、端部に挿絵を剪断する同時に四角の対角の円の交点三ケ所に中心２ｍｍ以下の円を有するトンボを剪断し、請求項５と同じくプレス加工の位置制御によるプレス加工請求項１の製造方法。
【請求項７】
挿絵紙鍋は挿絵、形状切断加工は冷間加工で、最終行程のヒダ折り、畳み込み加工は位置制御装置請求項４〜６を用いて、位置を正確に確認後温間加工で、温度７５°〜１２０°Ｃにてプレス加工する請求項１の製造方法。
【発明の詳細な説明】
【技術分野】
【０００１】  本発明は、プレス加工にて挿絵を作り、挿絵付き製品とトンボをつくり、プレス加工の位置制御装置とその装置を使用し、プレス加工を行う製造方法に関する。
【背景技術】
【０００２】  従来の切り抜き絵又はテンプレートがある。印刷関係では位置制御及び装置等が多数ある。（例えば特開  昭５７−１５３３３０，特開  昭５８−１１７０３６．特開昭６１−２２１８１７．特開  昭６０−１１５４８１，登録３６９３０５０号，登録３６９４６６２号参照）
【発明が解決しようとする課題】
【０００３】  挿絵を印刷するにはトルエンなどの有機溶剤を含んだインクを使うのが主流。健康や環境への悪影響が指摘され、有機溶剤を使わない水性インクを使うようになつ来たたが、一部で、「図柄の上に食品を直接のせてていても大丈夫です。」と書かれいる事を見るので、全部ではない。健康のためにも解決したい課題。
【０００４】  商品はいかようとしても視覚による美観を必要とすることは言うまでないがコストが掛からず安心・安全な商品の製造が課題。
【０００５】  角形鍋は素材が四角形で２つの対角９０度に等分にヒダを作らねばならず少しでも位置がずれると美観を損ない安心・安全迄損なわれていると誤解される
【課題を解決するための手段】
【０００６】  印刷は有機溶剤を使用のため食品と直接当るものり請求項１の商品に印刷しない方法としてプレス加工の挿絵を付けた物。
【０００７】  付加的加工方法で、挿絵を製作するプレス加工を採用し安価な製品を供給することが出来る。
【０００８】  プレス加工時の位置のずれ量を特定する位置きめの標識を挿絵の中に入れる
【０００９】  挿絵の印刷位置を示すために挿絵とともに加工された加工品に少なくとも２つのトンボマークを読みとるプレスのずれ位置検索装置の設置。
【作用】
【００１０】  上記のように構成された商品は安心・安全が容易に確認出来、安価な製造方法である。位置を示すトンボ付き挿絵にて正確に位置補正が出来る様になる。挿絵は２ｍｍ以下の幅で、長さ等も制約しているので強度的に破れることはない。
【発明を実施するための最良の形態】
【００１１】  本発明の実施の形態について図面を参照すると、図１は挿図の拡大図で、１．５倍であるとし説明する。拡大ままの面を使用すれば、面積は請求項１で３０ｍｍ２を最大にと制約され使用できない。どうしても使用したい場合は半円を２つにしなければならない。勿論幅も２ｍｍより大きいので、使用出来ない。又曲り部の長さも現物と仮定すれば請求項１に外れる図である。図２も１．５倍の拡大図で曲り部の説明図。図３〜４は現物の挿絵の図で、請求項１〜２の説明図である。【００１２】  第５図は第１図と第３図及び第６図は第２図と第４図の縮小図実際に使用されるの状態でトンボマークの位置決めの実施の形態である。【００１３】  図８は実施例の全体構成を示す略図で、下端が手前側となる様うに鉛直面に対して図けられ、材料１０を置くため材料台１２があり、１２の下端、左右端に材料１０を位置きめの、当て１４，１６がある。図示してないが材料は１エアー吸着で材料台１２に吸い寄せられ、固定される。材料台１２にはＸ方向、Ｙ方向に自在に移動可能なＸ−Ｙアーム１８があり、アーム１８には材料１０上のトンボを検出する反射式のスポットセンサー２２、トンボ検出開始ポイント指定等のための入力ボタン２６がある。材料台１２ノの端部に種々のデーター、コマンドを入力する操作操作バネル２８がある。図９ａ〜ｅに示す様うな種々の形状がある図１０単一のスポットセンサにより２つのトンボを検出する略図である。そうして図１１は加工された製品の図である。【００１５】  図１２〜２５は透かし絵の付いた紙鍋の図である。図１２，１７は商標登録４２４６２９７，４４２５２５４，４５９２７２８と意匠登録１１７１０７２と形状を同じくするのである。図１３は商標登録４２４６２９６，４００６８２２と同じものである。また。図２０は意匠登録８３９８４３と同じものである。図２３の形状は商標登録４２０５１９１号，図２４は意匠登録１１７９８５１及び商標登録４７０３８８６号，図２５は商標登録４８３５３２５号と同じものである。【００１６】  図２６〜３２は紙鍋以外の製品である。図３３は透かし絵の概略図で無数に出来る。発明の名称では挿絵で、文章の説明の中に入れる絵で、本発明では安全啓蒙の絵、００１３より透かし絵だが、同じである。透かしの意味も少し違うが、透かすと見える絵で異なる。透かし彫は装飾のため。表から裏まで通るように2007126206.tif 000003
【発明の効果】
【００１７】本発明は、以上説明したように構成されているので、以下に記載されるような効果を奏する。
【００１８】  印刷なしで、製品化でき、印刷インキに関する安全性が確保され、従来の様に食品の接触する部分でも安全ですの注意を書かずとも解決出来る、一部書かれておれば書いてないものは危険となり、安全意識を麻痺され、食品公害に対しての啓蒙する効果大である。
【００１９】  安心のコスト、安全性確保のためにはの値上げも消費者が認める時代に成っている。食品袋に印刷するのはトルエンなど有機溶剤を含んだインクを使用していたが、健康や環境への悪影響から有機溶剤を使用しない水性性インクにＯＰＰ（二軸延伸びボリプロピレン）フィルムを原価は高くても安心のコストと考える安心・安全というキーワードが消費者の意識革命で、水性インクのＯＰＰフィルムの印刷と言えども、少しの不備の  心配等もなくより全然使用しないことは一番優れているとの安全の啓蒙の効果は大。
【００２０】  透かし絵付き紙鍋のヒダの絞り込みプレス加工は温間加工で、混度７５°Ｃ〜１２０°Ｃで加工するので、使用中に紙が破れる率が最小限となった。人為行為以外は破損皆無となった。
【００２１】  透かし付き紙鍋、鍋以外の製品もロル材を使用が出来る様に成り、一番安価な製造方法に成った。
【００２２】  図１２，図１４，図１６，図１７，図１９，図２１，図２２，図２４等の紙鍋はヒダの折れ目が対角線上に或るので少しでも、位置がずれると美観がなくなり、粗雑製品、品質不良品の印象を与えていたが、請求項４の位置決めにより、対角線と折り目が一致従来方法では考えられない効果。
【００２３】  ００２２の追加であるが、図１４及び図２４の様に対角線上に振り分けの形状等は従来考えられない形状で、紙鍋では出来ないものとされていたが容易に製作出来る様に成った。
【００２４】  印刷制御装置における印刷位置の調整、印刷位置検出装置等色色と多数発明されているが、同一の印刷面に対してはトンボマーク等で印刷位置を確認できるが、裏面の位置にて表面の位置制御は困難なるも透かし絵（トンボマーク）では労せず出来る様に成った。プレス加工に抜きトンボマークを経費なしで使用。
【図面の簡単な説明】
【００２５】
2007126206.tif 000004
【図４】「葉っぱ」の紙鍋の現物大の挿絵（透かし絵）。
【図５】紙鍋の花柄付きヒダ加工前の図。
【図６】「葉つぱ」の紙鍋のヒダ加工前の図。
【図７】図１１包みの図で、（ａ）は挿図とトンボをプレス加工した図で三角形を印刷する。（ｂ）は三角形とトンボを印刷後プレス加工する図である。
【図８】制御装置の位置の調整の実施例の全体を示す略図である。
【図９】トンボマークの種々の形状を示す。
【図１０】単一のスポットセンサにより２つのトンボを検出する略図である。
【図１１】図７を加工した包みの製品。
【図１２】「葉つぱ」の挿絵付き１６ヒダ角形紙鍋の図で、商標登録４２４６２９７号，４４２５２５４号，４５９２７２８号と意匠登録１１７１０７２号と形状を同じくする。
【図１３】図１２と同じで、形状は丸茄形の形状は商標登録４２４６２９６号，４００６８２２号と同じ形状のもの。
【図１４】図１２の四角形の先端部が割り込み部のあるもの。
【図１５】図１２の四角形の先端部が円弧になつた形状のもの。
【図１６】図１２のヒダが逆状に折つた物。
【図１７】１２ヒだの紙鍋。
【図１８】図１５のもので底部に無数の細いヒダのある１６ヒタの五徳不要用の物。
【図１９】ヒダ２０の紙鍋。
【図２０】特殊形状の紙鍋。意匠登録８３９８４３号
【図２１】図１７のヒダ１２の逆向き。
【図２２】図１９の２０ヒダの逆向き。
【図２３】丸形１６ヒダの紙鍋で、商標登録４２０５１９１号の形状の同一のもの。
【図２４】図２３のヒダの上部円弧で、円弧の中央が割れた形状の紙鍋。意匠登録１１７９８５１号、商標登録４７０３８８６号の紙鍋の形状同一のもの。
【図２５】図２３のヒダ部が円弧の紙鍋で、商標登録４８３５３２２５号と形状同一のもの。
2007126206.tif 000005
【図３０】透かし絵の付いたまつと、２種類。
【図３１】透かし絵の付いた懐紙。
【図３２】透かし絵の付いた箸置き。
【図３３】挿絵又は透かし絵の図の一例。
【図１】
2007126206.tif 000006
【図２】
2007126206.tif 000007
【図３】
2007126206.tif 000008
【図４】
2007126206.tif 000009
【図５】
2007126206.tif 000010
【図６】
2007126206.tif 000011
【図７】
2007126206.tif 000012
【図８】
2007126206.tif 000013
【図９】
2007126206.tif 000014
【図１０】
2007126206.tif 000015
【図１１】
2007126206.tif 000016
【図１２】
2007126206.tif 000017
【図１３】
2007126206.tif 000018
【図１４】
2007126206.tif 000019
【図１５】
2007126206.tif 000020
【図１６】
2007126206.tif 000021
【図１７】
2007126206.tif 000022
【図１８】
2007126206.tif 000023
【図１９】
2007126206.tif 000024
【図２０】
2007126206.tif 000025
【図２１】
2007126206.tif 000026
【図２２】
2007126206.tif 000027
【図２３】
2007126206.tif 000028
【図２４】
2007126206.tif 000029
【図２５】
2007126206.tif 000030
【図２６】
2007126206.tif 000031
【図２７】
2007126206.tif 000032
【図２８】
2007126206.tif 000033
【図２９】
2007126206.tif 000034
【図３０】
2007126206.tif 000035
【図３１】
2007126206.tif 000036
【図３２】
2007126206.tif 000037
【図３３】
2007126206.tif 000038
【手続補正書】
【提出日】平成18年1月11日(2006.1.11)
【手続補正１】
【補正対象書類名】明細書
【補正対象項目名】００２５
【補正方法】変更
【補正の内容】
【００２５】
【図１】挿図（透かし図）で、プレスのせん断加工により、打ち抜かれたもので、挿絵は線で表現されるのが原則なるも、平面が３０ｍｍ２まで許容した花柄の拡大図である。
【図２】葉っぱの挿絵の拡大図である。線で表現を原則とするも、曲がり部の線の交り幅の許容２〜４ｍｍする例を示した図である。
【図３】紙鍋の現物大の花柄の挿絵で、曲線の交点の黒点は打ち抜かず残部を残してもよいとの印しである。
【図４】紙鍋の現物大の葉っぱのずで、図３と同じく、線の交点は残部として残しるよいと言う黒点である。
【図５】紙鍋の花柄の挿絵をブレスにて打ち抜き、正四角計に裁断された図で、ヒダの絞り加工をする前の図である。
【図６】紙鍋の葉っぱの挿絵をプレスにて打ち抜き、正四角形に裁断された図で、ヒダの絞り加工前のずである。
【図７】図１の花柄を頂点する三角形の図１１の包み紙器の最終行程のプレス加工前の図である。（ａ）は挿絵とトンボをフレス加工後印刷した図で、以後印刷するものです（ｂ）三角形とトンボを印刷加工をした図である。以後プレス加工にて挿絵と切断加工をする。
【図８】制御装置の位置の調整の実施例の全体を示す略図である。詳細な説明は［００１２］にて説明されている。
【図９】トンボマークの種々の形状を示した図てせある。
【図１０】単一のスホットセンサーにより、２っのトンボを検出する略図である。詳細は［００１３］で説明されている。
【図１１】図７（ａ）の素材をプレス加工を施した完成品の料理被い紙器である。
【図１２】葉っぱの挿絵付き１６ヒダ角形紙鍋の図で、商標登録４２４６２９７号，４４２５２５５４号，４５９２７２８号と意匠登録１１７１０７２号と形状と同じものである。
【図１３】図１２と同じく、葉っぱの挿絵の付いた紙鍋で、形状は丸茄形の形状で、形状は商標登録４２４６２９６号，４００６８２２号と同じ形状のものである。
【図１４】図１２の四角形の先端部に割り込み部があり、挿絵花柄の付いた紙鍋。
【図１５】紙鍋の図１２の四角形の先端部が円弧になり、挿絵葉っぱの付いた紙鍋及びアルミ箔の図である。
【図１６】図１２のヒダが逆方向に折った紙鍋。
【図１７】１２ヒダ折りの花柄挿絵付き紙鍋。
【図１８】図１５の紙鍋の底部に無数の細ヒだのある１６ヒダの挿絵花柄付きで、五徳不要の紙鍋及びアルミ箔のものとがある。
【図１９】２０ヒダの挿え花柄付きの紙鍋である。
【図２０】特殊形状の意匠登録８３９８４３号の挿絵花付き紙鍋である。
【図２１】図１７のヒダ１２の紙鍋の挿絵花柄付きのヒダ折り逆向きの紙鍋。
【図２２】図１９のヒダ２０の紙鍋の挿絵花柄付きのヒダ折り逆向きの紙鍋。
【図２３】丸形１６ヒダの挿絵付き紙鍋で、商標登録４２０５１９１号の形状と同じ紙鍋である。
【図２４】図２３のヒダの上部円弧で、円弧の中央部が割れた形状の紙鍋で、意匠登録１１７９８５１号，商標登録４７０３８８６号の紙鍋の形状と同一のものに。挿絵花柄の付いたもの。
【図２５】図２３のヒダ部の上部が円弧のもので、商標登録４８３５３２２５号と形状同一で、挿絵の花柄が付いた紙鍋である。
【図２６】
2007126206.tif 000039
【図２７】キャップ料理に被せるもので、円形状と花形状の２種類の図で、挿絵が付いている図
【図２８】
2007126206.tif 000040
【図２９】
2007126206.tif 000041
【図３０】挿絵の付いたまつとの一例の２種類。
【図３１】
2007126206.tif 000042
【図３２】
2007126206.tif 000043
【図３３】透かし絵（挿絵）の図の一例。